(57)【要約】      （修正有）【課題】公知のリベットに代わって衣類の補強部分の縫い目を補強する機能を有しながら、該リベットの審美性を高め、また、前記リベットが、衣服の需要者によって工具を使用することなく取り換え・取り外しが可能であり、需要者の美感・個性によって任意のデザインを施したものに取り換えることができるリベットを提供し、更に、実用的用途を有する衣服用着脱可能リベットを提供する。【解決手段】衣服の補強部分に用いられるリベットであって、リベットが外側止着部３と内側止着部２とを有し、外側止着部と内側止着部とが着脱可能な構成であると共に、止着時には衣服の補強部分が外側止着部と内側止着部との間で挟着される構成であり、且つ外側止着部が装飾部３２を有する衣服用着脱可能リベット１。【選択図】図１
0003140636.tif 000002
【実用新案登録請求の範囲】
【請求項１】
衣服の補強部分に用いられるリベットであって、該リベットが外側止着部と内側止着部とを有し、該外側止着部と該内側止着部とが着脱可能な構成であると共に、止着時には衣服の補強部分が該外側止着部と該内側止着部との間で挟着される構成であり、且つ前記外側止着部が装飾部を有することを特徴とする衣服用着脱可能リベット。
【請求項２】
衣服が、デニム素材であることを特徴とする請求項１に記載の衣服用着脱可能リベット。
【請求項３】
着脱可能な構成が、雄ネジと雌ネジとの組合せであることを特徴とする請求項１又は２に記載の衣服用着脱可能リベット。
【請求項４】
雌ネジが外側止着部に形成され、雄ネジが内側止着部に形成されており、該内側止着部が該雄ネジの径よりも大である鍔部を有することを特徴とする請求項３に記載の衣服用着脱可能リベット。
【請求項５】
雄ネジのネジ切りが、先端から内側止着部の鍔部までに及び、外側止着部の装飾部と内側止着部の鍔部とによって直接又は間接的に衣服の補強部分が挟着される構成であることを特徴とする請求項４に記載の衣服用着脱可能リベット。
【請求項６】
雄ネジに螺合されるストッパーを有し、該ストッパーの径は該雄ネジの径よりも大であり、内側止着部の鍔部とによって直接又は間接的に衣服の補強部分が挟着され、且つ前記ストッパーと外側止着部の装飾部との間の雌ネジ又は雄ネジが吊下部とされる構成であることを特徴とする請求項４に記載の衣服用着脱可能リベット。
【請求項７】
装飾部が、下記で定義されるコンチョであることを特徴とする請求項１〜６のいずれかに記載の衣服用着脱可能リベット。
〔コンチョ〕
コイン等金属製の円形板又は略円形板をドーム型に曲げ加工することによって作成した装飾品である。
【請求項８】
請求項１〜７のいずれかに記載の衣服用着脱可能リベットを有する衣服。
【請求項９】
衣服が、デニム素材であることを特徴とする請求項８に記載の衣服。
【請求項１０】
衣服が、請求項１〜７のいずれかに記載の衣服用着脱可能リベットを装着するための透孔を有することを特徴とする請求項８又は９に記載の衣服。
【請求項１１】
透孔が、衣服の補強部分に設けられていることを特徴とする請求項１０に記載の衣服。
【考案の詳細な説明】
【技術分野】
【０００１】
本考案は、装飾を施した着脱可能な衣服用のリベット及びそのリベットを有する衣服に関する。
【背景技術】
【０００２】
従来より、衣服の布地が２枚以上重なった部分（補強部分）の縫い目を補強する手段として、金属製リベットによって補強する手段が提案されている（特許文献１）。特に、ジーンズにおいては、ポケット部分の縫い目を補強するため、ポケットの開口部分を金属製リベットによって補強することが技術的に周知であり、デザイン面においても該金属リベットを備えることが常識となっており、金属製リベットを備えていないジーンズを見かけることは難しいほどである。
【０００３】
特許文献１の技術は、衣服のポケットの開口部の縫い目を補強する手段として、金属製リベットをポケットの開口部の両端部に嵌合する手段を提案している。ポケット部分は、少なくともポケットの外側と内側に布地が必要であり、２枚以上の布地を縫い合わせていることから、一方の布地を強く引っ張った場合に、縫い目が切れる又は解けるおそれがある。この問題を、前記金属製リベットを用いた補強手段によって解決している。
【０００４】
また、特許文献１に係る米国特許の出願人であるリーバイ・ストラウス＆カンパニーを始めとする衣服製造業者らは、現在に至っても、上記金属製リベットを用いた衣服を販売しており、特にジーンズにおいては、金属製リベットは欠かすことができない構成部品となっている（非特許文献１）。
【０００５】
しかし、特許文献１に開示された金属製リベットは、専ら衣服の縫い目を補強する手段として提案されたものであり、該金属製リベットの審美性ないし実用的用途については考慮されていない。
【０００６】
非特許文献１における金属製リベットは、衣服の表面に表れる部分に刻印等によって文字が表されているが、これらの文字は社名や衣服の型番等を表したものであり、単なる情報伝達の内容にすぎず、装飾が表されているとは言い難い。また、前記金属製リベットは、衣服の外側と内側にそれぞれ表れる止着部をかしめることによって嵌合している。
【０００７】
【特許文献１】米国特許第１３９１２１号
【非特許文献１】リーバイ・ストラウス＆カンパニーのホームページ                  （URL：http://www.levistrauss.com）
【考案の開示】
【考案が解決しようとする課題】
【０００８】
そこで、本考案の第一の課題は、公知のリベットに代わって衣類の補強部分の縫い目を補強する機能を有しながら、該リベットの審美性を高めることにあり、また、第二の課題は、前記リベットが、衣服の需要者によって工具を使用することなく取り換え・取り外しが可能であり、需要者の美感・個性によって任意のデザインを施したものに取り換えることができるリベットを提供することにあり、更に、第三の課題は、実用的用途を有する衣服用着脱可能リベットを提供することにある。
【課題を解決するための手段】
【０００９】
上記課題を解決する本考案は、下記構成を有する。
１．衣服の補強部分に用いられるリベットであって、該リベットが外側止着部と内側止着部とを有し、該外側止着部と該内側止着部とが着脱可能な構成であると共に、止着時には衣服の補強部分が該外側止着部と該内側止着部との間で挟着される構成であり、且つ前記外側止着部が装飾部を有することを特徴とする衣服用着脱可能リベット。
【００１０】
２．衣服が、デニム素材であることを特徴とする前記１に記載の衣服用着脱可能リベット。
【００１１】
３．着脱可能な構成が、雄ネジと雌ネジとの組合せであることを特徴とする前記１又は２に記載の衣服用着脱可能リベット。
【００１２】
４．雌ネジが外側止着部に形成され、雄ネジが内側止着部に形成されており、該内側止着部が該雄ネジの径よりも大である鍔部を有することを特徴とする前記３に記載の衣服用着脱可能リベット。
【００１３】
５．雄ネジのネジ切りが、先端から内側止着部の鍔部までに及び、外側止着部の装飾部と内側止着部の鍔部とによって直接又は間接的に衣服の補強部分が挟着される構成であることを特徴とする前記４に記載の衣服用着脱可能リベット。
【００１４】
６．雄ネジに螺合されるストッパーを有し、該ストッパーの径は該雄ネジの径よりも大であり、内側止着部の鍔部とによって直接又は間接的に衣服の補強部分が挟着され、且つ前記ストッパーと外側止着部の装飾部との間の雌ネジ又は雄ネジが吊下部とされる構成であることを特徴とする前記４に記載の衣服用着脱可能リベット。
【００１５】
７．装飾部が、下記で定義されるコンチョであることを特徴とする前記１〜６のいずれかに記載の衣服用着脱可能リベット。
〔コンチョ〕
コイン等金属製の円形板又は略円形板をドーム型に曲げ加工することによって作成した装飾品である。
【００１６】
８．前記１〜７のいずれかに記載の衣服用着脱可能リベットを有する衣服。
【００１７】
９．衣服が、デニム素材であることを特徴とする前記８に記載の衣服。
【００１８】
１０．衣服が、請求項１〜７のいずれかに記載の衣服用着脱可能リベットを装着するための透孔を有することを特徴とする前記８又は９に記載の衣服。
【００１９】
１１．透孔が、衣服の補強部分に設けられていることを特徴とする前記１０に記載の衣服。
【考案の効果】
【００２０】
前記１及び２に示す考案によれば、公知のリベットに代わって衣類の補強部分の縫い目を補強する機能を有しながら、該リベットの審美性を高めることができ、前記リベットが、取り換え・取り外しが可能であり、需要者の美感・個性に応じた任意のデザインを施したものに取り換えることができる。
【００２１】
前記３〜５に示す考案によれば、需要者が工具を使用することなく容易にリベットを取り換え・取り外し可能である。
【００２２】
前記６に示す考案によれば、雄ネジと雌ネジとを螺合することにより、前記ネジに螺合
されるストッパーと、内側止着部の鍔部によって衣服の布地を挟着し、吊下部にバッグやチェーン等の装身具を取り付けることが可能であり、実用的用途が見込める。
【００２３】
前記７に示す考案によれば、コンチョは任意の模様を施し易いことから、より需要者の美感・個性に応じたリベットを提供することが可能であり、且つ吊下部を有する構成の場合は、該吊下部に取り付けるもの（特に紐の如き柔軟な線状のもの）がコンチョの裏面の内側に入り込み脱落防止の役割を果たす。
【００２４】
前記８〜１１に示す考案によれば、任意のデザインを施したリベットに取り換えることができ、また、需要者が選択したデザインを施したリベットを装着又は組合せて提供することが可能な衣服を提供することができる。
【考案を実施するための最良の形態】
【００２５】
添付の図面に従って、本考案に係る衣服用着脱可能リベット１について詳細に説明する。
【００２６】
図１は本考案に係る衣服用着脱可能リベットの一実施例を示す正面図、
図２は本考案に係る衣服用着脱可能リベットを取り付けた衣服の部分拡大図、
図３は本考案に係る衣服用着脱可能リベットを衣服に取り付けた状態の部分断面図、
図４は本考案に係る衣服用着脱可能リベットの他の実施例を示す正面図、
図５は本考案に係る衣服用着脱可能リベットの他の実施例を衣服に取り付けた状態３例を示す部分断面図、
図６は外側止着部の他の実施例を示す断面図、
図７は本考案に係る衣服用着脱可能リベットの装着する方法２例を示す説明図である。
【００２７】
本考案に係る衣服用着脱可能リベット１は、図１〜図３に示すように、衣服の補強部分の縫い目を補強するものである。いかなる衣服についても補強部分の縫い目を補強する役割を果たすが、特にデニム素材の衣服（例えば、ジーンズ）は、補強部分に金属製リベットを使用したものが多く、この金属製リベットに代わり、本考案に係る衣服用着脱可能リベット１を使用することができる（図２参照）。
【００２８】
本考案において、補強部分とは、衣服の布地（好ましくはデニム素材）が２枚以上重なった部分であり、折り返し部分を含むものとする。
また、一般的にリベットとは、「金属板や鋼材などをつなぎ合わせるために打つ鋲。頭部のある金属棒で、接合部に穴を開けて挿し込み、余った端をつぶして固定する。」と定義されるが、本考案におけるリベットは当該定義に限定されず、２枚以上の布地を挟着することによって縫い目が切れないように又は解けないように補強するものを含むこととする。
【００２９】
衣服用着脱可能リベット１は、内側止着部２と外側止着部３の組合せから構成される（図１）。
衣服用着脱可能リベット１は、図３に示すように、衣服の補強部分の布地４２を内側止着部２と外側止着部３との間で挟着する態様で使用される。
【００３０】
先ず、内側止着部２について説明する。
内側止着部２は、雄ネジ部２１と鍔部２２から構成される。
内側止着部２の雄ネジ部２１と鍔部２２は、一体成形されていていてもよく、また別部材であるものを結合してもよい。結合の方法については、ロウ付け、溶接等の公知の技術を用いることができる。
雄ネジ部２１又は鍔部２２の材質は、木材や樹脂であってもよいが、強度や耐久性を考
慮すると金属であることが好ましく、更に審美性を考慮すると金、銀、銅、プラチナ、鉄、ニッケル、真鍮であることが特に好ましい。また、別部材を結合する場合は、雄ネジ部２１と鍔部２２の材質は異なってもよいが、審美性を考慮すると同一の材質からなることが好ましい。雄ネジ部２１の材質は、外側止着部３の雌ネジ部３１と同一のものが好ましい。
【００３１】
雄ネジ部２１は、後述する外側止着部３の雌ネジ部３１と対応する径のものであることが必要であり、挟着する２枚以上の布地の厚さと同程度の長さである。雄ネジ部２１には、先端から鍔部２２までの全領域に又は先端から鍔部２２の手前までにネジ切りがされている。即ち、補強部分の布地を締付けるために必要かつ十分な強度を得られればよい。
【００３２】
鍔部２２は、円形、略円形、ドーム型又は多角形等の任意の形状であってよいが、少なくとも雄ネジ部２１の径（形状が円形以外の場合は、その形状における最大の対角線の長さをいう。以下同じ。）より大であることが必要である。厚さは、５ｍｍ以下であることが好ましく、衣服用着脱可能リベット１を装着した衣服を着用した場合に、内側止着部２が着用者に違和感・不快感を与えないように、２ｍｍ以下であることがより好ましい。鍔部表面２２ａは、内側止着部２と外側止着部３の螺合をドライバーを用いてするための「−」又は「＋」の形状をした溝を備えてもよい。鍔部裏面２２ｂは、衣服の布地を挟着する役割を果たすため、平坦であり、これに爪の如き突起その他の掛止部を設けてもよい。また、鍔部２２の側面には、内側止着部２と外側止着部３の螺合操作を手でし易くするために、ローレットを備えてもよい。
【００３３】
また、本考案の他の実施例として、内側止着部２は、図４に示すように、ストッパー２３を有する構成とすることもできる。これによって、、衣服用着脱可能リベット１は、吊下部２４を有することができる。
ストッパー２３を用いた衣服用着脱可能リベット１を衣服の布地に挟着した状態を図５（Ａ）に示す。
【００３４】
この場合、雄ネジ部２１の長さは、挟着する２枚以上の布地の厚さと、ストッパー２３の厚さと、外側止着部３の雌ネジ部３１の長さとを加えた長さが少なくとも必要である。吊下部２４（ストッパー２３と装飾部３２の間に位置する雌ネジ部３１の外側部分、又はこれに雄ネジ部２１を加えた部分をいう。）を長く確保するためには、これ以上の長さとしてもよい。
【００３５】
ストッパー２３は、円板又は略円板等の任意の形状をした平板であって、その中央付近にネジ切りがされた孔がある薄肉ボルトの如き形態又は該孔にネジ切りが施されていないワッシャーの如き形態であり、外径は雄ネジ部２１の径よりも大でなければならない。また、ストッパー２３の側面には、雄ネジ部２１との螺合操作を手でし易くするために、ローレットを備えてもよい。
材質は、木材や樹脂であってもよいが、強度や耐久性を考慮すると金属であることが好ましく、審美性を考慮すると金、銀、銅、プラチナ、鉄、ニッケル、真鍮であることが特に好ましい。また、雄ネジ部２１、鍔部２２と同一の材質を用いることが好ましい。
【００３６】
次に、外側止着部３について説明する。
外側止着部３は、雌ネジ部３１と装飾部３２から構成される。
外側止着部３の雌ネジ部３１と装飾部３２は、一体成形されていていてもよいが、装飾部３２に装飾を施す際の利便性を考慮すると、別部材であるものを結合することが好ましい。
【００３７】
雌ネジ部３１の形状は、雄ネジ部２１のネジ切りに対応する径のネジ切りがあればよく
、外観が例えば円筒形であるものを用いることができる。雌ネジ部３１の長さは、挟着する２枚以上の布地の厚さと同程度の長さ又はこれ以下であることが好ましい。
雌ネジ部３１の材質は、木材や樹脂であってもよいが、強度や耐久性を考慮すると金属であることが好ましく、更に審美性を考慮すると金、銀、銅、プラチナ、鉄、ニッケル、真鍮であることが特に好ましい。また、雌ネジ部３１の材質は、内側止着部２の雄ネジ部２１と同一のものが好ましい。
【００３８】
装飾部３２は、円形、略円形、円形ドーム形又は多角形等の任意の形状であってよいが、少なくとも雌ネジ部３１の外径より大であることが必要である。
装飾部３２の材質は、木材や樹脂であってもよいが、強度や耐久性を考慮すると金属であることが好ましく、審美性を考慮すると金、銀、銅、プラチナ、鉄、ニッケル、真鍮であることが特に好ましい。
【００３９】
装飾は、装飾部表面３２ａに図形や模様等を彫刻・印刷等する他、該装飾部３２とは別部材の貴金属、その他の金属、宝石、その他の石、貝殻又は木材等をロウ付け、溶接等によって又は接着剤等を用いて取り付けてもよい。装飾には、需要者の個性をより反映させるため、例えば家紋を彫刻・印刷等することができる。また、装飾部表面３２ａには、フックの如き引掛部を設けてもよい。
装飾部裏面３２ｂは、衣服の布地を挟着する役割を果たすため、装飾部を固定するために、衣服の布地を引っ掛け、布地に対して装飾部３が回動しないための爪の如き突起その他の掛止部を設けてもよい。
【００４０】
装飾部３２には、コンチョを用いることができる。コンチョとは、コイン等金属製の円形板又は略円形板をドーム型に曲げ加工することによって作成した装飾品である。
この場合、装飾部裏面３２ｂは、ドーム型にくぼんだ形状となるが、この装飾部裏面の端部３２ｃが、内側止着部２の鍔部の裏面２２ｂと衣服の布地を挟着する役割を果たすので、衣服の布地の縫い目を補強するという機能を果たす（図６参照）。更に、吊下部２４を有する構成の場合は、装飾部裏面３２ｂはドーム型に凹んでいるため、吊下部２４に取り付けるもの（特に紐の如き柔軟な線状のもの）が装飾部裏目３２ｂの凹み部分に入り込み、該取り付けるものの脱落防止という役割を果たす（図５（Ｃ）参照）。
【００４１】
外側止着部３の雌ネジ部３１と装飾部３２とを結合する方法については、溶接・接着等の公知の技術を用いることができるが、結合の容易さと審美性を考慮し、ロウ付けによる方法が好ましく、銀ロウを用いるのが特に好ましい。
【００４２】
尚、本考案に係る衣服用着脱可能リベット１は、他の実施例として、上記実施例とは逆に、内側止着部２が雌ネジ部と鍔部から構成され、外側止着部３が雄ネジ部と装飾部から構成されていてもよい。
【００４３】
次に、本考案に係る衣服用着脱可能リベット１を装着する衣服４について説明する。
図２に示すように、本考案に係る衣服用着脱可能リベット１は、衣服の補強部分に装着する。装着される衣服の補強部分には、衣服用着脱可能リベット１を装着するための透孔４１が必要である。
透孔４１の径は、外側止着部３の雌ネジ部３１を挿通可能であればよく、例えば、その外径と同程度であればよい。また、透孔４１の周縁は、解れ等を防ぐために糸でかがってもよい。また、衣服の補強部分のうち一つ又は二つ以上に透孔４１を設けてもよい。
補強部分は、衣服の布地が２枚以上重なった部分（折り返し部分を含む）であればよく、例えば、ポケットの開口部の両端４３やベルトループの両端部４４が挙げられる。
【００４４】
衣服のうち、特にデニム素材の衣服（例えば、ジーンズが挙げられる。）においては、
補強部分に金属製リベット１’が嵌合されているものが多く存在する。本考案に係る衣服用着脱可能リベット１は、すでに衣服に嵌合されている金属製リベット１’に代わって装着することもできる。
【００４５】
衣服用着脱可能リベット１を衣服４に装着する方法について説明する。
図７（Ａ）に示すように、先ず、外側止着部３の雌ネジ部３１を衣服４の外側から透孔４１に挿入する。続いて、衣服４の内側から内側止着部２の雄ネジ部２１を、透孔４１に挿入された状態の雌ネジ部３１に螺合し、これを締め付けて衣服の布地４２を挟着する。この場合、布地４２は、内側止着部２の鍔部裏側２２ｂと外側止着部３の装飾部裏側３２ｂ（又は装飾部裏面の端部３２ｃ）とによって直接的に挟着される。
また、上記装着に際して、鍔部２２と装飾部３２との間にワッシャーを介在してもよく、この場合は、布地４２は、内側止着部２の鍔部裏側２２ｂと外側止着部３の装飾部裏側３２ｂ（又は装飾部裏面の端部３２ｃ）とによってワッシャーを介して間接的に挟着される。
【００４６】
次に、内側止着部２にストッパー２３を用いる場合について説明する。
図７（Ｂ）に示すように、先ず、内側止着部２の雄ネジ部２１を衣服４の内側から透孔４１に挿入する。次に、衣服４の外側からストッパー２３を雄ネジ部２１に螺合し、これを締め付けて衣服の布地４２を挟着する。この場合、布地４２は、内側止着部２の鍔部裏側２２ｂとストッパー２３とによって直接的に挟着される。また、装着に際しては、鍔部２２とストッパー２３との間にワッシャーを介在してもよく、この場合は、布地４２は、内側止着部２の鍔部裏側２２ｂとストッパー２３とによってワッシャーを介して間接的に挟着される。
【００４７】
続いて、外側止着部３の雌ネジ部３１を衣服４の外側から内側止着部２の雄ネジ部２１に螺合する。この状態で生じたストッパー２３と装飾部３１との間隔部分が、吊下部２４となる。
ストッパー２３と外側止着部３との間に、ワッシャー２５を介在させてもよい（図５（Ｂ）参照）。この場合、ワッシャー２５の厚さや数量によって、吊下部２４の幅を調整することができる。即ち、吊下部２４の幅を最挟とする場合はワッシャー２５を使用せず、吊下部２４の幅を広げる場合には適当な厚さ又は数量のワッシャー２５を使用する。
【００４８】
上記吊下部２４には、例えば、バッグ（例えば、ウエストポーチの如き小型のバッグ。）、ケース（例えば、カメラや携帯電話機を収納するケース）、ウォレットチェーン、キーチェーン又はストラップ（例えば、携帯電話機用ストラップ。）等（バッグ等という。）を取り付けることができる。
【００４９】
透孔を有するバッグ等を取り付ける場合は、内側止着部の雄ネジ部２１とストッパー２３とを螺合後、外側止着部３の雌ネジ部３１を内側止着部２の雄ネジ部２１に螺合する際に、ストッパー２３と外側止着部３との間に、バッグ等の透孔を雄ネジ部２１に挿通することによって挟み込み、これを挟持する。
引掛け紐等を有するバッグ等、又はストラップ等を取り付ける場合は、吊下部２４の幅を前記引掛け紐又はストラップの幅に合わせてワッシャー２５によって調整し、この吊下部２４に前記引掛け紐又はストラップを吊下げ又は引掛けることができる。
また、柔軟性材料からなる紐のような脱落し易いものは、図５（Ｃ）に示すように、雌ネジ部を短小に形成して、装飾部端部３２ｃと布地４２との間に挟着されるようにすると脱落を防止することができる。
【００５０】
本考案に係る衣服用着脱可能リベット１の応用例として、衣服に限らず、バッグ、ベルト又は帽子等についても使用することができる。例えば、バッグのうちリュックサックに
使用する場合は、リュックサックの肩紐の部分に透孔を設け、本考案に係る衣服用着脱可能リベット１を装着することができ、更に、吊下部を設ける態様のリベットであれば、該吊下部を利用して、該肩紐の部分にバッグやケースを取り付けることができる。
また、自動車用アクセサリー（例えば、自動車内の前列シートに取り付けることが可能な収納ケース）や、自動二輪車のハンドル等に取り付けることができるバッグ等についても、これらのものに透孔を設けることによって、本考案に係る衣服用着脱可能リベット１を装着することができる。
【図面の簡単な説明】
【００５１】
【図１】本考案に係る衣服用着脱可能リベットの一実施例を示す正面図
【図２】本考案に係る衣服用着脱可能リベットを取り付けた衣服の部分拡大図
【図３】本考案に係る衣服用着脱可能リベットを衣服に取り付けた状態の部分断面図
【図４】本考案に係る衣服用着脱可能リベットの他の実施例を示す正面図
【図５】本考案に係る衣服用着脱可能リベットの他の実施例を衣服に取り付けた状態の３例を示す部分断面図
【図６】外側装着部の他の実施例を示す断面図
【図７】本考案に係る衣服用着脱可能リベットの装着する方法の２例を示す説明図
【符号の説明】
【００５２】
１  衣服用着脱可能リベット
２  内側止着部
２１  雄ネジ部
２２  鍔部
２２ａ  鍔部表面
２２ｂ  鍔部裏面
２３  ストッパー
２４  吊下部
２５  ワッシャー
３  外側止着部
３１  雌ネジ部
３２  装飾部
３２ａ  装飾部表面
３２ｂ  装飾部裏面
３３ｃ  装飾部裏面の端部
４  衣服
４１  透孔
４２  布地
４３  ポケット開口部の補強部分
４４  ベルトループの補強部分
５  バッグ等
【図１】
0003140636.tif 000003
【図２】
0003140636.tif 000004
【図３】
0003140636.tif 000005
【図４】
0003140636.tif 000006
【図５】
0003140636.tif 000007
【図６】
0003140636.tif 000008
【図７】
0003140636.tif 000009